(57)【要約】【課題】安全性と作業性に優れたエレベーターの乗りかご上手摺り装置の提供。【解決手段】上記課題は、通常時には乗りかごの上面に倒伏形態状態に保持され、かつ、保守作業時には乗りかごの上面の両側の外周部に沿って起立形態状態に保持されるところの一対の第１手摺り部３と、これら一対の第１手摺り部３にそれぞれに回動可能に支持されて一対の第１手摺り部３の起立形態状態時に乗りかごの上面の背面側に沿って設置される第２手摺り部４とを備え、第１手摺り部３の倒伏形態状態から起立形態状態になるに亘ってその第１手摺り部３に対する第２手摺り部４の回動を規制し、かつ、第１手摺り部３の起立形態状態時にその第１手摺り部３に対する第２手摺り部４の乗りかご上面の背面側への回動を可能にする回動規制部材５を、一対の第１手摺り部３にそれぞれ設け、この回動規制部材５を、保守用具の掛け具兼用の構成としたことで、達成できる。【選択図】図１
2008213960.tif 000002
【特許請求の範囲】
【請求項１】
通常時には乗りかご上面に倒伏形態状態に保持され、かつ、保守作業時には乗りかご上面の両側面側の外周部に沿って起立形態状態に保持されるところの一対の第１手摺り部と、これら一対の第１手摺り部にそれぞれに回動可能に支持されて前記一対の第１手摺り部の起立形態状態時に乗りかごの上面の背面側に沿って設置される第２手摺り部とを少なくとも備えたエレベーターの乗りかご上手摺り装置において、少なくとも前記第１手摺り部の倒伏形態状態から起立形態状態になるに亘ってその第１手摺り部に対する前記第２手摺り部の回動を規制し、かつ、前記第１手摺り部の起立形態状態時にその第１手摺り部に対する前記第２手摺り部の前記乗りかご上面の背面側への回動を可能にする回動規制部材を、前記一対の第１手摺り部にそれぞれ設け、この回動規制部材を、保守用具の掛け具兼用の構成としたことを特徴とするエレベーターの乗りかご上手摺り装置。
【請求項２】
前記第１手摺り部及び前記第２手摺り部を、複数個の横桟を有する構成とし、しかも、前記回動規制部材を、前記第１手摺り部の倒伏形態状態時に前記第１手摺り部の横桟と前記第２手摺り部の横桟と一緒に保持し、かつ、前記第１手摺り部の起立形態状態時に前記第１手摺り部の横桟に対し前記第２手摺り部の横桟を前記乗りかごの上面の背面側への回動を可能にする構成としたことを特徴とする請求項１記載のエレベーターの乗りかご上手摺り装置。
【請求項３】
前記回動規制部材を、縦長リング状であって、その縦長リング状の一部に、前記第１手摺り部の横桟の通り抜けを阻止し、かつ、前記第２手摺り部の横桟の通り抜けを可能にする大きさの開き部を有する形状としたことを特徴とする請求項２記載のエレベーターの乗りかご上手摺り装置。
【請求項４】
前記回動規制部材を、前記第１手摺り部の横桟に沿って左右に移動可能に設けたことを特徴とする請求項２若しくは３記載のエレベーターの乗り乗りかご上手摺り装置。
【発明の詳細な説明】
【技術分野】
【０００１】
本発明は、乗りかご上面からの保守員の転落を阻止するのに好適なエレベーターの乗りかご上手摺り装置に関するものである。
【背景技術】
【０００２】
従来、エレベーターの乗りかご上手摺り装置としては、通常時には乗りかごの上面に倒伏形態状態に保持され、かつ、保守作業時には乗りかごの上面の両側の外周部に沿って起立形態状態に保持されるところの一対の第１手摺り部と、これら一対の第１手摺り部にそれぞれに回動可能に支持されて前記一対の第１手摺り部の起立形態状態時に乗りかごの上面の背面側に沿って設置される第２手摺り部とを少なくとも備えたものが知られていた（例えば、特許文献１参照）。また、乗りかご上面での保守点検作業時に用いられる点検灯などの保守用具を、一時的に掛けておく掛け具となるところの点検灯取り付け支柱を、別途、乗りかご上面に取り付けるようにしたエレベーターの乗りかごが知られていた（例えば、特許文献２参照）。
【特許文献１】特開２００５−１３２５４７公報
【特許文献２】実開平１−１４９３７７号公報
【発明の開示】
【発明が解決しようとする課題】
【０００３】
しかしながら、上述した特開２００５−１３２５４７号公報に記載されたエレベーターの乗りかご上手摺り装置では、第１手摺り部を倒伏形態状態から起立形態状態にした場合、第２手摺り部が、第１手摺り部より外方に大きく回動して隣接するエレベーターの乗りかご等に衝突してしまうことがあり、危険であること及び乗りかご上面での保守点検作業時に用いられる点検灯などの保守用具を設置するための配慮がなされていないという問題があった。また、上述した実開平１−１４９３７７号公報に記載された点検灯取り付け支柱は、大形であるとともに、長さが伸縮自在となる複雑な構成となっており、高価格なものになってしまうという問題があった。
【０００４】
本発明は、上述した従来技術における実状からなされたもので、その目的は、第１手摺り部を倒伏形態状態から起立形態状態にする作業及び第１手摺り部を起立形態状態から倒伏形態状態にする作業を、円滑に、かつ、安全に行うことのできるエレベーターの乗りかご上手摺り装置を提供することにある。
【課題を解決するための手段】
【０００５】
上記目的を達成するために、本発明は、通常時には乗りかご上面に倒伏形態状態に保持され、かつ、保守作業時には乗りかご上面の両側面側の外周部に沿って起立形態状態に保持されるところの一対の第１手摺り部と、これら一対の第１手摺り部にそれぞれに回動可能に支持されて前記一対の第１手摺り部の起立形態状態時に乗りかごの上面の背面側に沿って設置される第２手摺り部とを少なくとも備えたエレベーターの乗りかご上手摺り装置において、少なくとも前記第１手摺り部の倒伏形態状態から起立形態状態になるに亘ってその第１手摺り部に対する前記第２手摺り部の回動を規制し、かつ、前記第１手摺り部の起立形態状態時にその第１手摺り部に対する前記第２手摺り部の前記乗りかご上面の背面側への回動を可能にする回動規制部材を、前記一対の第１手摺り部にそれぞれ設け、この回動規制部材を、保守用具の掛け具兼用の構成としたことを特徴としている。
【０００６】
さらに、本発明は、前記第１手摺り部及び前記第２手摺り部を、複数個の横桟を有する構成とし、しかも、前記回動規制部材を、前記第１手摺り部の倒伏形態状態時に前記第１手摺り部の横桟と前記第２手摺り部の横桟と一緒に保持し、かつ、前記第１手摺り部の起立形態状態時に前記第１手摺り部の横桟に対し前記第２手摺り部の横桟を前記乗りかごの上面の背面側への回動を可能にする構成としたことを特徴としている。
【０００７】
さらに、本発明は、前記回動規制部材を、縦長リング状であって、その縦長リング状の一部に、前記第１手摺り部の横桟の通り抜けを阻止し、かつ、前記第２手摺り部の横桟の通り抜けを可能にする大きさの開き部を有する形状としたことを特徴としている。
【０００８】
さらに、本発明は、前記回動規制部材を、前記第１手摺り部の横桟に沿って左右に移動可能に設けたことを特徴としている。
【発明の効果】
【０００９】
本発明によれば、回動規制部材によって、第１手摺り部の倒伏形態状態から起立形態状態に移行する間は、第２手摺り部が第１手摺り部と一緒に移行して、第１手摺り部に対して第２手摺り部が大きく回動することがないため、乗りかご上で、安全に、かつ、円滑に組み立て作業を行うことのできるエレベーターの乗りかご上手摺り装置が得られる。また、本発明によれば、回動規制部材に、保守用具を掛けることができるようにすることで、特別な保守用具の掛け具を別途設置しなくともよくなるため、低廉化を可能にした使い勝手のよいエレベーターの乗りかご上手摺り装置が得られる。
【発明を実施するための最良の形態】
【００１０】
以下、本発明に係るエレベーターの乗りかご上手摺り装置の実施形態を、図１〜図８に、基づいて説明する。図１は、本発明の一実施形態に係り、エレベーターの乗りかご上手摺り装置の第１手摺り部及び第２手摺り部が一緒に起立した状態における要部斜視図である。図２は、本発明の一実施形態に係り、エレベーターの乗りかご上手摺り装置における図１の矢印Ｒ方向から見た場合の要部拡大図である。図３は、本発明の一実施形態に係り、エレベーターの乗りかご上手摺り装置の第２手摺り部が回動規制部材から抜け出た状態を示す図１の矢印Ｒ方向から見た場合の要部拡大図である。図４は、本発明の一実施形態に係り、エレベーターの乗りかご上手摺り装置の第２手摺り部が回動規制部材から抜け出た後、その回動規制部材が下方に移動した状態を示す図１の矢印Ｒ方向から見た場合の要部拡大図である。図５は、本発明の一実施形態に係り、乗りかご上に組み立てられた乗りかご上手摺り装置の回動規制部材に保守用具を引っ掛けた状態を示す要部斜視図である。図６は、本発明の一実施形態に係り、エレベーターの乗りかご上手摺り装置の回動規制部材を第１手摺り部の横桟に沿って移動させた状態を示す要部拡大斜視図である。図７は、本発明の他実施形態その１に係り、エレベーターの乗りかご上手摺り装置の第２手摺り部が回動規制部材から抜け出た後、その回動規制部材が下方に移動した状態を示す要部拡大図である。図８は、本発明の他実施形態その２に係り、エレベーターの乗りかご上手摺り装置の回動規制部材を第１手摺り部の横桟に沿って第２手摺り部から離れた位置に移動させることでその回動規制部材が下方に移動した状態を示す要部拡大図である。
【００１１】
図１に示す本発明の一実施形態に係るエレベーターの乗りかご上手摺り装置１は、通常時には乗りかご２の上面２Ａに倒伏形態状態に保持され、かつ、保守作業時には乗りかご２の上面２Ａの両側面側の外周部に沿って起立形態状態に保持されるところの一対の第１手摺り部３と、これら一対の第１手摺り部３にそれぞれに回動可能に支持されて一対の第１手摺り部３の起立形態状態時に乗りかご２の上面２Ａの背面側に沿って設置される第２手摺り部４と、第１手摺り部３の倒伏形態状態から起立形態状態になるに亘ってその第１手摺り部３に対する第２手摺り部４の回動を規制するとともに、第１手摺り部３の起立形態状態時にその第１手摺り部３に対する第２手摺り部４の乗りかご２上面２Ａの背面側への回動を可能にする回動規制部材（ストッパー）５を、少なくとも備えた構成になっている。
【００１２】
第１手摺り部３は、図１示すように、少なくとも角材からなる２個の横桟３Ａ、３Ｂと、少なくとも角材からなる２個の縦桟３Ｃ、３Ｄとからなっている。第１手摺り部３は、乗りかご２の上面２Ａに設けた支持脚６、６Ａに縦桟３Ｃ、３Ｄの下端部を回動可能に支持することで、乗りかご２の上面２Ａに倒伏形態状態に保持したり、乗りかご２の上面２Ａの側面側の外周部に沿って起立形態状態に保持したりすることができるようにしてある。第２手摺り部４は、図１示すように、少なくとも角材からなる２個の横桟４Ａ、４Ｂからなっている。横桟４Ａは、横桟３Ａの上面に回動軸４Ｃを軸として回動可能に設けることで、乗りかご２の上面２Ａの背面側に沿って水平方向に延在するように設置することが可能となるようにしてある。横桟４Ｂは、横桟３Ｂの端面に回動軸４Ｄを軸として回動可能に設けて、起立形態状態時に垂直方向から水平方向に乗りかご２の上面２Ａの背面側に沿って延在するように設置することが可能となるようにしてある。
【００１３】
回動規制部材５は、図１〜図６示すように、縦長リング状であって、その縦長リング状の一部に、第１手摺り部３の横桟３Ａの通り抜けを阻止し、かつ、第２手摺り部４の横桟４Ａの通り抜けを可能にする大きさの開き部（切り欠き部）５Ａを有する形状としてある。すなわち、回動規制部材５は、図２示すように、高さ寸法Ｈ１を有する横桟３Ａと高さ寸法Ｈ２を有する横桟４Ａを包み込むように縦長リング状とし、上部折り返し寸法Ｓ２を有する上部折り返し部５Ｂと、下部折り返し寸法Ｓ３を有する下部折り返し部５Ｃと、上部折り返し部５Ｂと下部折り返し５Ｃとの間に位置して開口高さ寸法Ｋを有する開き部（切り欠き部）５Ａと、ストローク寸法Ｓ１を有する移動空間Ｚとを備えた構成としてある。そして、ストローク寸法Ｓ１は、上部折り返し寸法Ｓ２より大きくなるように、開口高さ寸法Ｋは、横桟４Ａの高さ寸法Ｈ２よりも大きく、かつ、横桟３Ａの高さ寸法Ｈ１よりも小さくなるように、下部折り返し寸法Ｓ３は、横桟３Ａの高さ寸法Ｈ１よりも小さくなるように、それぞれ設定されている。
【００１４】
回動規制部材５は、帯状金属板を折り曲げることで成形されており、図５に示すように、ストローク寸法Ｓ１を有する移動空間Ｚに点検灯などの保守用具７の引っ掛け具７Ａを挿入することで、あるいは開き部５Ａを介して移動空間Ｚに点検灯などの保守用具７の引っ掛け具７Ａを挿入することで、その回動規制部材５の下端側にその引っ掛け具７Ａを掛けることができる構成、すなわち、保守用具７の掛け具兼用の構成としてある。回動規制部材５の第１手摺り部３の横桟３Ａへの取り付けは、第１手摺り部３における横桟３Ａ、３Ｂと縦桟３Ｃ、３Ｄを組み立てる前に、回動規制部材３１を予め横桟３Ａに挿入しておくようにすることにより、あるいは、開き部（切り欠き部）５Ａを手で強制的に広げることで、第１手摺り部３の横桟３Ａに嵌め込むことが可能となるようにすることにより、行えるようにしてもよい。
【００１５】
回動規制部材５は、図３に示すように、その回動規制部材５を上方（矢印Ｐ方向）にストローク寸法Ｓ１分持ち上げた状態で、第２手摺り部４の横桟４Ａを、回動軸４Ｃを軸として回動させると、その横桟４Ａが開き部５Ａから回動規制部材５の外に抜け出る（図３の点線参照）ようにしてある。また、横桟４Ａが開き部５Ａから回動規制部材５の外に抜け出た後は、図４に示すように、回動規制部材５を下方（矢印Ｑ方向）に落下させることで、回動規制部材５の開き部５Ａを介して保守用具７の引っ掛け具７Ａを回動規制部材５の下部折り返し５Ｃ内方に掛けることができるようにしてある。
【００１６】
回動規制部材５は、第１手摺り部３の横桟３Ａに沿って左右に移動可能な構成になっており、回動規制部材５を上方（図３の矢印Ｐ方向）にストローク寸法Ｓ１分持ち上げなくとも、図６に示す矢印Ｘ方向に回動規制部材５を移動させた状態（図６の点線参照）とすることで、第２手摺り部４の横桟４Ａを、回動軸４Ｃを軸として回動させることができるようにしてある。
【００１７】
次に、乗りかご２の上面２Ａに倒伏形態状態に保持されている乗りかご上手摺り装置１を、起立形態状態に組み立てる作業手順を説明する。
【００１８】
まず、倒伏形態状態の第１手摺り部３を掴んで、支持脚６、６Ａを軸に回動させて乗りかご２の上面２Ａの側面側の外周部に沿って、図１に示すように、起立させる。なお、第１手摺り部３と対をなす第１手摺り部３が起立する乗りかご２の上面２Ａの側面に対向する乗りかご２の上面２Ａの側面側に設置されるところの第１手摺り部（図示せず）も、第１手摺り部３と同様に、起立させる。
【００１９】
次いで、回動規制部材５を上方（図３の矢印Ｐ方向）にストローク寸法Ｓ１分持ち上げて、回動規制部材５の開き部５Ａから第２手摺り部４の横桟４Ａを水平に回動させて乗りかご２の上面２Ａの背面側に沿うように、横桟４Ａを位置させる。なお、第１手摺り部３と対をなす乗りかご２の上面２Ａの側面側に設置されるところの第１手摺り部に設けた第２手摺り部の横桟（図示せず）も、第２手摺り部４の横桟４Ａと同様に、乗りかご２の上面２Ａの背面側に沿うように位置させる。
【００２０】
その後、第１手摺り部３の横桟３Ｂの端面に設けた第２手摺り部４の横桟４Ｂを、略９０度回動させて、略水平に延在させるように、設置する。同様に、第１手摺り部３と対をなす第１手摺り部の端面に設けた第２手摺り部の横桟（図示せず）を回動させて、略水平に延在させるように、設置する。
【００２１】
さらに、その後、第１手摺り部３に設けた第２手摺り部４の横桟４Ａと、第１手摺り部３と対をなすところの第１手摺り部の上面に設けた第２手摺り部の横桟（図示せず）とを、及び第２手摺り部４の横桟４Ｂと第１手摺り部３と対をなすところの第１手摺り部の端面に設けた第２手摺り部の横桟（図示せず）とを、連結部材（図示せず）によって、連結することにより、乗りかご上手摺り装置１の組み立て作業が完了する。組み立て作業完了後、点検灯などの保守用具７の引っ掛け具７Ａを、回動規制部材５の下部折り返し５Ｃ内方に引っ掛けることで、乗りかご２の上面２Ａでの保守作業準備が完了する。
【００２２】
次に、乗りかご２の上面２Ａでの保守作業が終了した後、乗りかご上手摺り装置１を乗りかご２の上面２Ａ上に倒伏形態状態に収納するには、第１手摺り部３に設けた第２手摺り部４の横桟４Ａ、４Ｂと、第１手摺り部３と対をなすところの第１手摺り部の上面に設けた第２手摺り部の横桟（図示せず）との連結部材（図示せず）による連結状態を開放した後、第２手摺り部４の横桟４Ａ、４Ｂを略９０度回動させて、図１に示す状態に戻す。その際、回動規制部材５を上方に持ち上げた状態にして、開き部５Ａから回動規制部材５内に、第２手摺り部４の横桟４Ａを挿入させた後、回動規制部材５を下方に降下させることで、第２手摺り部４の横桟４Ａが回動規制部材５から外れないようにする。この状態で、第１手摺り部３を掴んで、支持脚６、６Ａを軸に乗りかご２の上面２Ａに向って約９０度回動させることで、乗りかご２の上面２Ａ上に、乗りかご上手摺り装置１が倒伏形態状態で、収納させられる。この場合も、回動規制部材５によって、第２手摺り部４の横桟４Ａが大きく左右に振れることがない。
【００２３】
上記構成のエレベーターの乗りかご上手摺り装置１によれば、倒伏形態状態の第１手摺り部３を掴んで、支持脚６、６Ａを軸に回動させて乗りかご２の上面２Ａの側面側の外周部に沿って起立させる際、その第１手摺り部３と一緒に第２手摺り部４が、図１に示すように、移行させられて、第１手摺り部３に対して第２手摺り部４の横桟４Ａが左右に大きく回動することがないので、その乗りかご上手摺り装置１の乗りかご２の上面２Ａでの組み立て作業を、安全に、かつ、円滑よく行うことができる。しかも、上記構成のエレベーターの乗りかご上手摺り装置１によれば、起立形態状態の第１手摺り部３を掴んで、乗りかご２の上面２Ａに向って回動させた場合、回動規制部材５によって、第２手摺り部４の横桟４Ａが大きく左右に振れることがないので、乗りかご上手摺り装置１の収納作業を、安全に、かつ、円滑よく行うことができる。
【００２４】
さらに、上記構成の乗りかご上手摺り装置１によれば、回動規制部材５を、保守用具７の掛け具として利用することができるので、特別な保守用具の掛け具を別途設置しなくともよく、しかも、回動規制部材５を、第１手摺り部３の横桟３Ａに沿って移動させることで、横桟３Ａの任意の位置に保守用具７を保持させることができるので、低価格化及び使い勝手の向上が図られる。
【００２５】
さらに、上記構成の乗りかご上手摺り装置１によれば、帯状金属板を折り曲げることで、回動規制部材５を作ることができるので、生産性を向上させることができる。
【００２６】
さらに、上記構成の乗りかご上手摺り装置１によれば、回動規制部材５の開き部５Ａの開口高さ寸法Ｋを、横桟４Ａの高さ寸法Ｈ２よりも大きく、かつ、横桟３Ａの高さ寸法Ｈ１よりも小さくなるように設定してあるので、第１手摺り部３の横桟３Ａから回動規制部材５が外れて落下することがなく、安全である。
【００２７】
次に、本発明に係るエレベーターの乗りかご上手摺り装置の他実施形態その１〜その２を、図７〜図８によって説明する。図７〜図８において、図１〜図６と同一符号は、同一内容を表している。
【００２８】
図７に示す他実施形態その１に係るエレベーターの乗りかご上手摺り装置２０の回動規制部材２１は、その回動規制部材２１の下端側２１Ａの形状を湾曲状に成形したものであり、他の点は、上記一実施形態の回動規制部材５と同一としてある。回動規制部材２１には、下部折り返し２１Ｂと上部折り返し部２１Ｃとの間に、上記一実施形態の回動規制部材５の開き部（切り欠き部）５Ａと同様の開き部（切り欠き部）２１Ｄが形成されている。他実施形態その１の回動規制部材２１によれば、点検灯などの保守用具７の引っ掛け具７Ａを、回動規制部材２１の下部折り返し２１Ｂから回動規制部材２１の下端側２１Ａの中央に円滑に案内して取り付けることができる。
【００２９】
図８に示す他実施形態その２に係るエレベーターの乗りかご上手摺り装置３０の回動規制部材３１は、開き部（切り欠き部）のない縦長リング状としたものであり、他の点は、上記一実施形態の回動規制部材５と同一としてある。他実施形態その２の回動規制部材３１の場合には、開き部（切り欠き部）がなくとも、図６に示すように、矢印Ｘ方向に回動規制部材３１を移動させた状態とすることにより、第２手摺り部４の横桟４Ａを、回動軸４Ｃを軸として回動させることができる。しかも、点検灯などの保守用具７の引っ掛け具７Ａを、開き部（切り欠き部）がなくとも、回動規制部材３１の移動空間Ｚを利用して、下端側３１Ａに取り付けることができる。なお、他実施形態その２の回動規制部材３１の場合は、第１手摺り部３における横桟３Ａ、３Ｂと縦桟３Ｃ、３Ｄを組み立てる前に、回動規制部材３１を予め横桟３Ａに挿入しておくようにする。
【００３０】
上記実施形態例では、第１手摺り部３の横桟３Ａ、３Ｂ及び縦桟３Ｃ、３Ｄ並びに第２手摺り部４の横桟４Ａ、４Ｂを角材状としてあるが、これに限定されない。第１手摺り部３の横桟３Ａ、３Ｂ及び縦桟３Ｃ、３Ｄ並ぶに第２手摺り部４の横桟４Ａ、４Ｂをパイプ管状あるいは丸棒状とするようにしてもよい。
【００３１】
さらに、上記各実施形態例では、回動規制部材５を、帯状金属板を折り曲げることで成形するようにしているが、これに限定されない。回動規制部材５を、断面が円形状の鋼線を折り曲げることで、成形するようにしてもよい。また、回動規制部材５の外観形状を、略Ｃ形状としてもよい。
【図面の簡単な説明】
【００３２】
【図１】本発明の一実施形態に係り、エレベーターの乗りかご上手摺り装置の第１手摺り部及び第２手摺り部が一緒に起立した状態における要部斜視図である。
【図２】本発明の一実施形態に係り、エレベーターの乗りかご上手摺り装置における図１の矢印Ｒ方向から見た場合の要部拡大図である。
【図３】本発明の一実施形態に係り、エレベーターの乗りかご上手摺り装置の第２手摺り部が回動規制部材から抜け出た状態を示す図１の矢印Ｒ方向から見た場合の要部拡大図である。
【図４】本発明の一実施形態に係り、エレベーターの乗りかご上手摺り装置の第２手摺り部が回動規制部材から抜け出た後、その回動規制部材が下方に移動した状態を示す図１の矢印Ｒ方向から見た場合の要部拡大図である。
【図５】本発明の一実施形態に係り、乗りかご上に組み立てられた乗りかご上手摺り装置の回動規制部材に保守用具を引っ掛けた状態を示す要部斜視図である。
【図６】本発明の一実施形態に係り、エレベーターの乗りかご上手摺り装置の回動規制部材を第１手摺り部の横桟に沿って移動させた状態を示す要部拡大斜視図である。
【図７】本発明の他実施形態その１に係り、エレベーターの乗りかご上手摺り装置の第２手摺り部が回動規制部材から抜け出た後、その回動規制部材が下方に移動した状態を示す要部拡大図である。
【図８】本発明の他実施形態その２に係り、エレベーターの乗りかご上手摺り装置の回動規制部材を第１手摺り部の横桟に沿って第２手摺り部から離れた位置に移動させることでその回動規制部材が下方に移動した状態を示す要部拡大図である。
【符号の説明】
【００３３】
１    エレベーターの乗りかご上手摺り装置
２    乗りかご
２Ａ  乗りかごの上面
３    一対の第１手摺り部
３Ａ、３Ｂ  横桟
３Ｃ、３Ｄ  縦桟
４    第２手摺り部
４Ａ、４Ｂ  横桟
４Ｃ、４Ｄ  回転軸
５    回動規制部材
５Ａ  開き部（切り欠き部）
５Ｂ  上部折り返し部
５Ｃ  下部折り返し
６、６Ａ  支持脚
７    保守用具
７Ａ  引っ掛け具
【図１】
2008213960.tif 000003
【図２】
2008213960.tif 000004
【図３】
2008213960.tif 000005
【図４】
2008213960.tif 000006
【図５】
2008213960.tif 000007
【図６】
2008213960.tif 000008
【図７】
2008213960.tif 000009
【図８】
2008213960.tif 000010